(57)【特許請求の範囲】
【請求項１】
所望の機能を有する周辺装置を検索する検索手段と；
周辺装置の上記所望の機能を操作するための操作情報を予め記憶する操作情報記憶手段と；
上記検索手段によって検索された上記所望の機能を有する周辺装置から、上記所望の機能の操作情報を受信する操作情報受信手段と；
上記検索手段により検索した周辺装置の上記所望の機能を操作するための操作情報が、上記操作情報記憶手段に記憶されているか否かを判別する判別手段と；
上記判別手段による判別に応じて、上記操作情報記憶手段に予め記憶されている上記操作情報、または、上記操作情報受信手段が受信した上記操作情報を、選択的に表示する操作情報表示手段と；
を有することを特徴とするホスト装置。
【請求項２】
請求項１において、
上記操作情報は、操作手順、操作画面のうちの少なくとも一方であることを特徴とするホスト装置。
【請求項３】
請求項１において、
上記操作情報表示手段が表示した操作情報に基づいて、オペレータが所定の操作を実行すると、上記操作に基づく情報を、周辺装置に送信することを特徴とするホスト装置。
【請求項４】
請求項１において、
上記検索手段は、所望の機能を示す情報を送信し、上記送信した情報が示す機能を具備する周辺装置が送信した応答に基づいて、所望の機能を有する周辺装置を判別することを特徴とするホスト装置。
【請求項５】
所望の機能を有する周辺装置を検索する検索手段と；
周辺装置の上記所望の機能を操作するための操作情報を予め記憶する操作情報記憶手段と；
上記所望の機能の操作情報を上記周辺装置に要求するためのオペレータ操作を判別する判別手段と；
上記判別手段による判別に応じて、上記検索手段により検索された周辺装置に対して上記操作情報を要求し、該周辺装置から上記所望の機能の操作情報を受信する受信手段と；
上記操作情報記憶手段に予め記憶されている上記操作情報、または、上記受信手段が受信した上記操作情報を、選択的に表示可能であり、上記受信手段により上記操作情報を受信した場合には、該受信した操作情報を表示する表示手段と；
を有することを特徴とするホスト装置。
【請求項６】
請求項５において、
上記操作情報は、操作手順、操作画面のうちの少なくとも一方であることを特徴とするホスト装置。
【請求項７】
請求項５において、
上記操作情報表示手段が表示した操作情報に基づいて、オペレータが所定の操作を実行すると、上記操作に基づく情報を、周辺装置に送信することを特徴とするホスト装置。
【請求項８】
請求項５において、
上記検索手段は、所望の機能を示す情報を送信し、上記送信した情報が示す機能を具備する周辺装置が送信した応答に基づいて、所望の機能を有する周辺装置を判別することを特徴とするホスト装置。
【請求項９】
周辺装置の所望の機能を操作するための操作情報を予め記憶する操作情報記憶手段を有するホスト装置の制御方法において、
所望の機能を有する周辺装置を検索する検索工程と；
上記検索工程において検索された上記所望の機能を有する周辺装置から、上記所望の機能の操作情報を受信するための受信工程と；
上記検索工程において検索した周辺装置の上記所望の機能を操作するための操作情報が、上記操作情報記憶手段に記憶されているか否かを判別する判別工程と；
上記判別工程における判別に応じて、上記操作情報記憶手段に予め記憶されている上記操作情報、または、上記受信工程において受信した上記操作情報を、選択的に表示するための表示工程と；
を有することを特徴とするホスト装置の制御方法。
【請求項１０】
周辺装置の所望の機能を操作するための操作情報を予め記憶する操作情報記憶手段を有するホスト装置の制御方法において、
所望の機能を有する周辺装置を検索する検索工程と；
上記所望の機能の操作情報を上記周辺装置に要求するためのオペレータ操作を判別する判別工程と；
上記判別工程における判別に応じて、上記検索工程において検索された周辺装置に対して上記操作情報を要求し、該周辺装置から上記所望の機能の操作情報を受信するための受信工程と；
上記操作情報記憶手段に予め記憶されている上記操作情報、または、上記受信工程において受信した上記操作情報を、選択的に表示可能な表示手段に、上記受信工程において上記操作情報を受信した場合には、該受信した操作情報を表示するための表示工程と；
を有することを特徴とするホスト装置の制御方法。
【発明の詳細な説明】
【０００１】
【発明の属する技術分野】
本発明は、周辺装置を操作するホスト装置およびその制御方法に関する。
【０００２】
【従来の技術】
近年、システムの高度化が進み、コンピュータを中心とした分散処理システムが発達してきている。そして、ＦＡＸ、プリンタ、スキャナ等、様々なペリフェラル装置をネットワークで接続し、コンピュータで操作するシステムも出てきている。
【０００３】
また、上記ネットワークに無線ネットワークを利用するものも出てきている。特にデジタル無線方式を利用すると、コンピュータがペリフェラル装置を操作するためのコマンドデータと、文字、音声、画像、映像等のマルチメディアのデータが多重化されて、送信することができる。
【０００４】
そして、従来の無線システムにおいては、コンピュータからの操作によって、各ペリフェラル装置を動作させることが可能となっている。
【０００５】
【発明が解決しようとする課題】
しかしながら、上記従来例においては以下のような問題点があった。
【０００６】
同一機能をもつペリフェラル装置においても、装置により操作方法が異なる場合があり、装置にあった操作を行うことが難しかった。特に、無線ネットワークの場合は、各装置が容易に移動可能であるため、使用可能な装置が頻繁に変わり、装置にあった操作を行うことがさらに難しくなる。
【０００７】
また、接続されているペリフェラル装置の機能や操作方法がわかっても、それをコンピュータからどのように操作すればよいかがわからなかった。
【０００８】
また、複数のペリフェラル装置を操作できなかった。
【０００９】
そこで本発明は、ホスト装置から各種多様な周辺装置を容易に操作することができるようにすることを目的とする。
【００１０】
【課題を解決するための手段】
本発明は、所望の機能を有する周辺装置を検索する検索手段と、周辺装置の上記所望の機能を操作するための操作情報を予め記憶する操作情報記憶手段と、上記検索手段によって検索された上記所望の機能を有する周辺装置から、上記所望の機能の操作情報を受信する操作情報受信手段と、上記検索手段により検索した周辺装置の上記所望の機能を操作するための操作情報が、上記操作情報記憶手段に記憶されているか否かを判別する判別手段と、上記判別手段による判別に応じて、上記操作情報記憶手段に予め記憶されている上記操作情報、または、上記操作情報受信手段が受信した上記操作情報を、選択的に表示する操作情報表示手段とを有することを特徴とするホスト装置およびその制御方法である。
【００１１】
また、本発明は、所望の機能を有する周辺装置を検索する検索手段と、周辺装置の上記所望の機能を操作するための操作情報を予め記憶する操作情報記憶手段と、上記所望の機能の操作情報を上記周辺装置に要求するためのオペレータ操作を判別する判別手段と、上記判別手段による判別に応じて、上記検索手段により検索された周辺装置に対して上記操作情報を要求し、該周辺装置から上記所望の機能の操作情報を受信する受信手段と、上記操作情報記憶手段に予め記憶されている上記操作情報、または、上記受信手段が受信した上記操作情報を、選択的に表示可能であり、上記受信手段により上記操作情報を受信した場合には、該受信した操作情報を表示する表示手段とを有することを特徴とするホスト装置およびその制御方法である。
【００１５】
【発明の実施の形態および実施例】
以下、本発明の実施の形態に係る第１実施例を図面を参照して説明する。
（システム構成）
図１は、本実施例で想定するシステムの構成を示す説明図である。
【００１６】
本システムは、互いに無線で通信を行うコンピュータ１０１と複数の無線通信端末とで構成されている。コンピュータ１０１は、デスクトップタイプであってもよいし、携帯に便利なノートブックタイプであってもよい。なお、ホスト装置としては、コンピュータに限らず、他の無線端末であってもよい。
【００１７】
一方、無線通信端末は、コンピュータ１０１と無線通信を行う機能を有するとともに、ＰＳＴＮ、ＩＳＤＮ等の公衆回線網１０４に対してＦＡＸ通信する機能を有するプリンタＦＡＸ１０２−Ａ、１０２−Ｂと、コンピュータ１０１と無線通信を行う機能を有し、コンピュータ１０１で作成した文書を印刷できるプリンタ１０３とを有する。
（コンピュータの構成）
図２は、コンピュータ１０１の構成を示すブロック図である。
ＣＰＵ２０１は、コンピュータ１０１の中枢でありコンピュータデバイス、無線部制御を含めコンピュータ１０１全体の制御を司るものである。ＲＯＭ２０２は、ＣＰＵ２０１の制御プログラムが格納されたものである。
【００１８】
ＲＡＭ２０３は、ＣＰＵ２０１の制御のための各種データを記憶するとともに各種演算用にワークエリアを提供するものである。端末データベース２０４は、コンピュータ１０１と無線で接続される無線通信端末１０２、１０３の機能仕様、操作仕様の情報が入っている端末データベースである。
【００１９】
コマンド作成部２０５は、コンピュータ１０１から入力されたコマンドに従って、無線通信端末１０２、１０３を動作させるために送信する制御データコマンドを作成するものである。
【００２０】
無線部２０６は、ＣＰＵ２０１の制御の下、制御信号にスクランブル等の処理を行うとともに所定のフレームに時分割多重化するチャネルコーデックや、フレーム化されたデジタル信号を変調して無線で送信できるように処理してアンテナ２０７に送信するとともに、アンテナ２０７より無線で受信した信号を復調してフレーム化したデジタル信号に処理する機能を有する。
【００２１】
アンテナ２０７は、無線信号の送受信をするものであり、ＩＤ管理部２０８は、無線通信端末から送られてくる無線通信端末固有のＩＤを認識し、また自端末のＩＤを管理するＩＤ管理部である。表示制御部２０９は、ディスプレイ２１２の表示を制御するものであり、入力制御部２１０は、キーボード２１３、マウス２１４から入力された信号を認識するものである。バス２１１は、コンピュータ１０１の内部バスであり、ディスプレイ２１２は、表示制御部２０９の制御に従って表示を行い、またタッチパネル機能により入力されたデータを入力制御部２１０に渡すものである。
【００２２】
キーボード２１３は、信号を入力する各種操作キーを有するものであり、マウス２１４は、画面上をポイントするマウスカーソルを動かし、また所定信号を入力するものである。
【００２３】
図３は、プリンタＦＡＸ１０２−Ａ、１０２−Ｂの構成を示すブロック図である。
【００２４】
システム３０１は、ＦＡＸ１０２の中枢でありＦＡＸデバイス、無線部制御を含めＦＡＸ１０２全体の制御を司るものである。ＲＯＭ３０２は、ＣＰＵ３０１の制御プログラムが格納されたものであり、ＲＡＭ３０３は、ＣＰＵ３０１の制御のための各種データを記憶するとともに各種演算用にワークエリアを提供するものである。
【００２５】
ＩＤ管理部３０４は、無線通信端末固有のＩＤを管理するものであり、操作マニュアル管理部３０５は、コンピュータ１０１の依頼により送信する、無線通信瑞末の操作仕様データを管理するものである。操作パネル情報管理部３０６は、コンピュータ１０１の依頼により送信する、無線通信端末の操作パネルデータを管理するものである。
【００２６】
無線部３０７は、ＣＰＵ３０１の制御の下、制御信号にスクランブル等の処理を行うとともに所定のフレームに時分割多重化するチャネルコーデック、フレーム化されたデジタル信号を変調して無線で送信できるように処理してアンテナ３０８に送信するとともに、アンテナ３０８より無線で受信した信号を復調してフレーム化したデジタル信号に処理する機能を有する。
【００２７】
アンテナ３０８は、無線信号の送受信をするものであり、回線制御部３０９は公衆回線網１０４で接続された端末との通信や網呼制御等を行うものである。プリンタ３１０は、画像、文字データ等を印刷するものであり、スキャナ３１１は、画像データを入力するものである。
【００２８】
操作出力制御部３１２は、ディスプレイ３１５の表示を制御するものである。操作入力制御部３１３は、キーパネル３１６から入力された信号を認識するものである。バス３１４は、ＦＡＸ１０２の内部バスであり、ディスプレイ３１５は、操作出力制御部３１２の制御に従って表示を行うものである。キーパネル３１６は、信号を入力する操作パネルである。
【００２９】
図４は、プリンタ１０３の構成を示すブロック図である。
【００３０】
ＣＰＵ４０１は、プリンタ１０３の中枢でありプリンタデバイス、無線部制御を含めプリンタ１０３全体の制御を司るものである。ＲＯＭ４０２は、ＣＰＵ４０１の制御プログラムが格納されたものであり、ＲＡＭ４０３は、ＣＰＵ４０１の制御のための各種データを記憶するとともに各種演算用にワークエリアを提供するものである。
【００３１】
ＩＤ管理部４０４は、無線通信端末固有のＩＤを管理するものであり、操作マニュアル管理部４０５は、コンピュータ１０１の依頼により送信する無線通信端末の操作仕様データを管理するものである。操作パネル情報管理部４０６は、コンピュータ１０１の依頼により送信する無線通信端末の操作パネルデータを管理するものである。
【００３２】
無線部４０７は、ＣＰＵ４０１の制御の下、制御信号にスクランブル等の処理を行うとともに所定のフレームに時分割多重化するチャネルコーデック、フレーム化されたデジタル信号を変調して無線で送信できるように処理してアンテナ４０８に送信するとともに、アンテナ４０８より無線で受信した信号を復調してフレーム化したデジタル信号に処理する機能を有する。
【００３３】
アンテナ４０８は、無線信号の送受信をするものであり、プリンタ４０９は、画像、文字データ等を印刷するものである。操作出力制御部４１０は、ディスプレイ４１３の表示を制御するものであり、操作入力制御部４１１は、キーパネル４１４から入力された信号を認識するものである。バス４１２は、プリンタ１０３の内部バスであり、ディスプレイ４１３は、操作出力制御部４１０の制御に従って表示を行うものである。キーパネル４１４は、信号を入力する操作パネルである。
（無線フレーム）
図５（１）〜図５（７）は、本システムにおいて使用する無線フレーム構成を示すものである。以下、フレームの内部データの詳細の説明を行う。
【００３４】
図５（１）に全体フレーム構成を示す。同図において、ＣＮＴはシステム制御チャネル、ＬＣＣＨは論理制御チャネル、データチャネルは、データ伝送用に使用し、ＥＮＤは次のフレームのための周波数切り替え時間である。また、この図において、Ｆ１、Ｆ３とあるのは、このフレームを無線で伝送する際に使用する周波数チャネルのことで、１フレーム毎に周波数チャネルを変更することを示している。
【００３５】
図５（２）にシステム制御チャネルのフレーム構成を示す。同図において、ＣＳはキャリアセンス時間、Ｒはランプビット、ＰＲはビット同期捕捉のためのプリアンブル、ＳＹＮは１ダミービット＋ＲＣＲで規定するフレーム同期信号、ＩＤはＲＣＲで規定する６３ビットの呼び出し信号＋１ダミービット、ＢＦは基本フレーム番号情報、ＭＦはマルチフレーム番号情報、ＷＡはスリープモードの端末のうち、起動させる端末のシステムアドレスを記入するフィールド、Ｒｅｖは隣接セルとの区別のためのエリア番号、ＧＴはガードタイムを表す。このチャネルは、システム全体の同期をとるため、また制御を行うためにコンピュータ１０１から発信される。
【００３６】
図５（３）に論理制御チャネルのフレーム構成を示す。同図において、ＣＳ０、ＣＳ１、ＣＳ２はキャリアセンス時間スロットで、使用目的に応じて優先度を付けることができる。ＰＲはビット同期捕捉のためのプリアンブル、ＵＷはユニークワード（バイト同期の捕捉用）、ＤＡはシステムアドレスを記入するフィールドで、ＩＤ管理部２０８、３０４、４０４に設定されている、自己のアドレス、または同報のアドレス、グループ通信用のアドレスと同一のものを受信する。送信する際には、ＩＤ管理部２０８、３０４、４０４に設定されている通信相手ＩＤを入れて出す。
【００３７】
ＯＡは送信端末が送信元のアドレスを入れるフィールドである。ＤＡＴＡは倫理制御データを収容するデータ用スロット、ＣＲＣはＢＦ〜ＬＣＣＨのデータ部までのデータに対するＣＲＣ情報、ＣＦは周波数切り換え用のガードタイムを表す。論理制御チャネルはフレーム同期信号チャネルと同じ周波数で伝送され、各端末が呼設定等をするときに用いる。
【００３８】
図５（４）にデータチャネルのフレーム構成を示す。同図において、ＣＦは周波数切り換え用のガードタイム、ＣＳ０、ＣＳ１、ＣＳ２はキャリアセンス時間スロットで、使用目的に応じて優先度を付けることができる。ＰＲはビット同期捕捉のためのプリアンブル、ＵＷはユニークワード（バイト同期の捕捉用）、ＤＡはシステムアドレスを記入するフィールドで、上記論理制御チャネルのものと同じ働きをする。ＯＡは送信端末が送信元のアドレスを入れるフィールドである。
【００３９】
図５（５）にデータのフレーム構成を示す。同図において、ＣＭＤはこのフレームがデータ伝送用のものであることを示すＩＤ、ＮＵＭはパケットの番号、ＬＮＧは有効データ長、ＦＬＧはデータの種別を示すフラグである。
【００４０】
図５（６）に制御データのフレーム構成を示す。同図において、ＣＭＤはこのフレームの制御データの種類を示す。このフレームは論理制御チャネルフレームのデータ用スロットに組み込まれて使用される。
【００４１】
図５（７）にＥＮＤのフレーム構成を示す。ＣＦは周波数切り換え用のガードタイムを表す。
（詳細動作説明）
以上説明したように、本システムにおいてはコンピュータと無線通信端末間での通信のためにフレームを組立て、制御を行っている。
【００４２】
図６は、本実施例におけるデータの通信シーケンスを示す説明図である。
【００４３】
同図において、接続要求６０１はコンピュータ１０１から各無線通信端末に無線接続を要求するものであり、たとえばコンピュータ１０１で作られた文書をＦＡＸで送りたい場合、ＦＡＸ１０２−Ａ、１０２−Ｂに同報で送られる。接続確認６０２は、接続要求６０１を受けた端末のうち、現在使用可能なもののみコンピュータ１０１に対して送信される。
【００４４】
操作コマンドデータ６０３は、コンピュータ１０１が端末を動かすときに送信されるものであり、データ６０４は、例えばＦＡＸ送信されるべき文書データである。
【００４５】
端末仕様データ要求６１０は、コンピュータ１０１が端末に対して端末操作データを送信するよう要求するものであり、端末仕様データ送信６１１は、ＦＡＸ１０２がその操作データを送信するものである。
【００４６】
６０１〜６０２は論理制御チャネルにて通信を行い、６０３〜６１１はデータチャネルで通信を行う。
【００４７】
図７は、本実施例における操作マニュアル表示時の動作を示すフローチャートであり、図８は、本実施例における操作マニュアル送信時の動作を示すフローチャートである。また、図９は、本実施例における操作時の動作を示すフローチャートである。
【００４８】
まず、コンピュータ１０１は使用したいペリフェラル装置に対して同報で接続要求６０１を送信する（Ｓ７０１）。ここでどのような機能を利用したいのかのコマンドを入れて送信する。例えば、上述したようにコンピュータ１０１で作成した文書をＦＡＸで送りたい場合には、それに必要な機能（ＦＡＸ送信機能）に対応するコマンドを入れて送信する。
【００４９】
この接続要求６０１を受けたペリフェラル装置（ＦＡＸ１０２−Ａ、１０２−Ｂ、プリンタ１０３）は、コンピュータ１０１が要求している機能があり、しかも使用可能状態にある場合に、接続確認６０２を送信する。ここで送信する際の、その端末のＩＤを入れて送信する。たとえばＦＡＸ１０２−Ａが接続確認を返したとする。コンピュータ１０１は接続確認６０２が返ってくると（Ｓ７０２）、ＩＤ管理部２０８において、その端末のＩＤを検索し（Ｓ７０３）、端末データベース２０４よりデータを抽出し、該当する操作マニュアルのデータがある場合には、表示制御部２０９を使ってディスプレイ２１２に操作マニュアルを表示する。
【００５０】
図１０は、端末データベース２０４の例を示す説明図である。
【００５１】
図示のように各端末ＩＤに対応して、実行可能な機能（▲１▼プリントアウト、▲２▼ＦＡＸ送信、▲３▼ＦＡＸ受信、……）と、その操作マニュアルの情報が格納されている。
【００５２】
図１１は、ＦＡＸ送信の操作マニュアルの具体例を示す説明図である。
【００５３】
図示のように、コンピュータ１０１で作成した文書をＦＡＸ送信する処理であることを示す機能番号入力、ＦＡＸ送信するデータのファイル番号入力、発信先のダイヤル番号入力、データ転送指示を順番に行うことにより、所望のファイルをプリンタＦＡＸに転送し、ＦＡＸ送信を行うことができる。
【００５４】
これによってユーザは、たとえば基本的には同じＦＡＸ機能をもつ装置において、異なるオペレーションやオプション機能を有する場合であっても、その装置に応じた適正な操作をコンピュータ１０１からすることができる。
【００５５】
例えば上述のＦＡＸ送信では、コンピュータ１０１側から発信番号を付したデータを受信した場合、自動的にＦＡＸ送信を実行する装置と、上述のマニュアル例のように、ＦＡＸ送信の処理を指示する機能番号と発信番号の両方を付したデータを受信しなければ、ＦＡＸ送信を実行しない装置が混在するようなシステムでは、各装置毎の操作マニュアルを表示することで、間違いなく操作を行うことができ、極めて有効な手段を提供できる。
【００５６】
次に、図８に基づいて、無線通信端末から操作用のデータ（操作マニュアル情報および操作画面情報）を送ってくる場合について説明する。
【００５７】
すなわち、図７に示す例では、コンピュータ１０１側の端末データベース２０４に格納したデータにより操作マニュアルを表示していたが、同様の操作マニュアル、さらには操作画面を無線通信端末側から受信して表示することも可能である。
【００５８】
なお、操作マニュアルを端末データベース２０４より得る場合と、無線通信端末より得る場合は、予めオプションにより、いずれか一方を用いるように装置に設定しておくことも可能であるが、これらを組み合わせて用いることも可能である。
【００５９】
例えば最初端末データベース２０４を検索して、該当する操作マニュアルのデータがある場合にはこれを表示し、また、該当する操作マニュアルのデータがない場合に、無線通信端末に対し、操作マニュアルを要求するようにしてもよい。また、端末データベース２０４より得た操作マニュアルがオペレータの希望するものと異なる場合に、オペレータの操作に基づいて無線通信端末に対し、操作マニュアルを要求するようにしてもよい。
【００６０】
以下、無線通信端末から操作マニュアル情報および操作画面情報を受け取る動作について、図８に基づき説明する。
【００６１】
まず、コンピュータ１０１は使用したいペリフェラル装置に対して同報で接続要求６０１を送信する（Ｓ８０１）。ここでどのような機能を利用したいかのコマンドを入れて送信する。この場合のコマンドとしては、上述した例と同様である。
【００６２】
この接続要求６０１を受けたペリフェラル装置は、要求している機能があり、しかも使用可能状態にある場合に接続確認６０２を送信する。たとえばＦＡＸ１０２−Ｂが接続確認を返したとする。
【００６３】
コンピュータ１０１は、接続確認６０２が返ってくると（Ｓ８０２）、その端末の操作方法のデータの送信を要求する操作仕様データ要求６１０を送信する（Ｓ８０３）。
【００６４】
ＦＡＸ１０２−Ｂは、操作仕様データ要求６１０を受けると、操作マニュアル管理部３０５、操作パネル管理部３０６からデータを取り出し、操作仕様データ６１１を作成して、コンピュータ１０１に送信する。この操作仕様データ６１１は、上述した操作マニュアル情報と操作画面情報を含むものである。
【００６５】
そして、コンピュータ１０１は、操作仕様データが送信されると（Ｓ８０４）、それを表示制御部２０９を使って、ディスプレイ２１２に表示する。
【００６６】
例えば、図１２は、上述したＦＡＸ送信時の操作マニュアルと操作画面を並列に表示した例を示す説明図である。
【００６７】
これによって、コンピュータの画面にＦＡＸと同じ操作画面を実現できるとともに、操作マニュアルも表示でき、容易に操作することができる。
【００６８】
なお、この例では、操作マニュアルと操作画面の両方を同時に表示したが、コンピュータ１０１のディスプレイ２１２の大きさに応じて、所定のキー操作により、交互に表示できるようにしてもよい。
【００６９】
次に、コンピュータ１０１から無線通信端末に対する操作方法を図９に基づいて説明する。
【００７０】
上述した図８の動作によって、コンピュータ１０１のディスプレイ２１２に表示された操作画面から、入力制御部２１０がキーボード２１３やマウス２１４等を使って、操作情報を入力させる（Ｓ９０１）。
【００７１】
入力されたデータは、コマンド作成部２０５により、ＦＡＸ１０２が解析できるかたちのコマンドに変換し（Ｓ９０２）、操作コマンドデータ６０３としてＦＡＸ１０２に送信される（Ｓ９０３）。そして、操作手順が終了したら、実際に送信すべき文書データ６０４をＦＡＸ１０２に送信し、ＦＡＸ１０２にＦＡＸ通信処理を行わせる。
【００７２】
これによって、あたかも実際のＦＡＸを操作している感覚で操作を行い、しかもどういった機種のＦＡＸでも、細かな仕様の違いをふまえて、操作することができる。
【００７３】
なお、以上の実施例では、コンピュータ１０１の入力方法に、キーボード２１３やマウス２１４を利用していたが、入力制御部２１０の対応により、ディスプレイ２１２からのタッチパネル操作でもＦＡＸの操作情報を入力できる。これによって、完全にＦＡＸを操作する感覚で操作を行うことができる。
【００７４】
また、上記実施例では、１つの接続要求６０１に対して、１つの接続確認６０２しか受けていないが、これを複数の端末から受けてもよい。また複数の種類の端末に対して接続要求６０１を送信してもよい。これによって１度に複数の端末を制御することができる。
【００７５】
例えば送信側ＦＡＸ１０２−Ａの操作画面でメモリに蓄積した原稿の送信操作を行い、受信側ＦＡＸ１０２−Ｂの表示画面でＦＡＸ１０２−Ａから受信した原稿を強制的にメモリ受信する操作を行うことができる。
【００７６】
また、このように関連する動作について操作するのではなく、全く異なる動作を実行するための複数の操作を並行で行う場合にも適用できる。
【００７７】
なお、以上のような制御は、予め装置内のメモリに格納されたプログラムに基づいて実行するものに限らず、例えばフロッピディスク、ハードディスク、光ディスク、その他の半導体メモリ等の各種記憶媒体に同様のプログラムを格納したものを各端末装置内に取り込んで実行するような構成であってもよい。
【００７８】
以上説明したように、ホスト装置から各種多様な周辺装置を容易に操作することができる。
【００７９】
さらに同一機能を持つが操作方法が異なる周辺装置が存在しても、それらの周辺装置を容易にホスト装置から操作することもできる。
【００８０】
また、ホスト装置が指定した機能を有する周辺装置を判断してから、その周辺装置の操作情報を表示するため、多くの情報の中から必要な操作情報をユーザが探す等の面倒な操作を行わなくて済む。
【００８１】
また、周辺装置から受信した操作情報を表示するので、全ての周辺装置の操作情報を記憶していなくてもよい。
【００８２】
また、現在使用可能な周辺装置を判別して、その周辺装置の操作情報を表示するので、使用できない周辺装置の操作手順を行ってしまう等の誤操作を防止できる。
【００８３】
また、ホスト装置からアクセスした周辺装置の特有の機能や、操作方法を知ることができるため、容易にホスト装置から操作することができる。
【００８４】
また、各周辺装置の操作パネルをホスト装置の表示画面に表示させて操作することにより、ホスト装置から各周辺装置をあたかも操作している感覚で操作することができる。
【００８５】
さらに、複数の周辺装置に同時アクセスして、画面表示させることによって、同時に複数の周辺装置を操作することができる。
【００８６】
【発明の効果】
本発明によれば、所望の機能を有する周辺装置を検索することができ、検索した周辺装置の操作情報として、予め記憶している操作情報または周辺装置から受信した操作情報を選択的に表示できるので、様々な周辺装置の中から所望の周辺装置を見つけ出すことができ、さらに、見つけ出した周辺装置の操作情報を、既に記憶しているか否か、オペレータが周辺装置に対して操作情報を要求しているか等に応じて、柔軟な表示制御を行うことができるという効果を奏する。
【図面の簡単な説明】
【図１】本発明の実施例で想定するシステムの構成を示す説明図である。
【図２】上記実施例におけるコンピュータの構成を示すブロック図である。
【図３】上記実施例におけるプリンタＦＡＸの構成を示すブロック図である。
【図４】上記実施例におけるプリンタの構成を示すブロック図である。
【図５】上記実施例において使用する無線フレーム構成を示す説明図である。
【図６】本発明の係るデータの通信シーケンスを示す説明図である。
【図７】上記実施例における操作マニュアル表示時の動作例を示すフローチャートである。
【図８】上記実施例における操作マニュアル送信時の動作例を示すフローチャートである。
【図９】上記実施例における操作時の動作例を示すフローチャートである。
【図１０】上記実施例における端末データベースの例を示す説明図である。
【図１１】上記実施例における操作マニュアルの具体例を示す説明図である。
【図１２】上記実施例における操作マニュアルと操作画面の表示例を示す説明図である。
【符号の説明】
１０１…コンピュータ、
１０２−Ａ、１０２−Ｂ…プリンタＦＡＸ、
１０３…プリンタ、
１０４…公衆回線網。
【図１】
0003581705.tif 000002
【図２】
0003581705.tif 000003
【図３】
0003581705.tif 000004
【図４】
0003581705.tif 000005
【図５】
0003581705.tif 000006
【図６】
0003581705.tif 000007
【図７】
0003581705.tif 000008
【図８】
0003581705.tif 000009
【図９】
0003581705.tif 000010
【図１０】
0003581705.tif 000011
【図１１】
0003581705.tif 000012
【図１２】
0003581705.tif 000013